(57)【要約】      （修正有）【課題】利用者が組み立て、分解することが可能な折りたたみミラーを提供する。【解決手段】ミラーアセンブリ１００は、基盤１１０、第１ミラー１２０、少なくとも１つの第１磁性部品１３０、少なくとも１つの第２磁性部品１４０、少なくとも１つの補助フレーム１５０、少なくとも１つの第２ミラー１６０を備える。基盤は第１凹部１１１と、第１凹部を囲む側壁部１１２と、側壁部上に少なくとも１つの第２凹部を備える。第１ミラーは基盤上に設けられ、第１凹部を覆っている。第１磁性部品は側壁部上に設けられ、第２凹部に対応して、第１凹部内に位置する。第２磁性部品は第２凹部に挿入され、第１磁性部品と第２磁性部品は互いに引き寄せあう。補助フレームは基盤に対して旋回するために第２磁性部品と枢着される。第２ミラーは補助フレーム上に設けられる。【選択図】図１
2018086231.tif 000002
【特許請求の範囲】
【請求項１】
ミラーアセンブリであって、
・第１凹部と、前記第１凹部を囲む側壁部と、前記側壁部上に少なくとも１つの第２凹部を有する基盤と、
・前記基盤上に設けられ、前記第１凹部を覆う第１ミラーと、
・前記側壁部上に設けられ、前記第２凹部に対応し、前記第１凹部内に位置する、少なくとも１つの第１磁性部品と、
・前記第２凹部に挿入され、前記第１磁性部品と互いを引き寄せあう少なくとも１つの第２磁性部品と、
・前記基盤に対して旋回するために前記第２磁性部品と枢着された、少なくとも１つの補助フレームと、
・前記補助フレーム上に設けられた、少なくとも１つの第２ミラーと、
を備える、ミラーアセンブリ。
【請求項２】
請求項１に記載のミラーアセンブリであって、前記基盤が前記第１凹部内に少なくとも１つの設置部をさらに有し、前記設置部が前記側壁部から突き出て前記第２凹部と対応しており、前記第１磁性部品が前記設置部上に設けられた、ミラーアセンブリ。
【請求項３】
請求項１に記載のミラーアセンブリであって、前記第１磁性部品の開口部と前記第２磁性部品の開口部が互いに反対の方向に面している、ミラーアセンブリ。
【請求項４】
請求項１に記載のミラーアセンブリであって、前記第１磁性部品と前記第２磁性部品が２つの磁性部材である、ミラーアセンブリ。
【請求項５】
請求項１に記載のミラーアセンブリであって、前記第１磁性部品と前記第２磁性部品のうちの一方が磁性部材であり、前記第１磁性部品と前記第２磁性部品のうちの他方が常磁性部材または強磁性部材である、ミラーアセンブリ。
【請求項６】
請求項１に記載のミラーアセンブリであって、
・少なくとも１つのピンであって、前記補助フレームが前記ピンにより前記第２磁性部品に枢結されるピン、
をさらに備える、ミラーアセンブリ。
【請求項７】
請求項１に記載のミラーアセンブリであって、前記補助フレームがプレートと、前記プレートに結合された拡張部と、前記拡張部に結合されたピボット部を備え、前記第２ミラーが前記プレート上に設けられ、前記拡張部が前記プレートと前記ピボット部の間に配置され、前記ピボット部が前記第２磁性部品に枢結されている、ミラーアセンブリ。
【発明の詳細な説明】
【関連出願の説明】
【０００１】
本出願は、２０１６年１１月２９日に出願された台湾特許出願番号１０５２１８２１５に基づく優先権を主張する。上記の特許出願の全体は、ここに参照として取り込まれ、本明細書の一部をなすものである。
【技術分野】
【０００２】
本発明の開示は、ミラーアセンブリに関するものであり、特に組み立て、分解する際に便利はミラーアセンブリに関するものである。
【背景技術】
【０００３】
従来のミラーアセンブリは主ミラーと、主ミラーに枢結された少なくとも１つのサイドミラーを備え、主ミラーとサイドミラーが、固定ピンにより互いに枢着されており、利用者が組み立て、分解する際に不便であった。
【発明の概要】
【発明が解決しようとする課題】
【０００４】
本発明の開示は利用時に非常に利便性の高いミラーアセンブリに関するものである。
【０００５】
本発明の開示は、基盤、第１ミラー、少なくとも１つの第１磁性部品、少なくとも１つの第２磁性部品、少なくとも１つの補助フレーム、少なくとも１つの第２ミラーを有するミラーアセンブリを提案するものである。基盤は第１凹部と、第１凹部を囲む側壁部と、側壁部上に少なくとも１つの第２凹部を備える。第１ミラーは基盤上に設けられ、第１凹部を覆っている。第１磁性部品は側壁部上に設けられ、第２凹部に対応し、第１凹部内に位置する。第２磁性部品は第２凹部に挿入され、第１磁性部品と第２磁性部品は互いに引き寄せあう。補助フレームは基盤に対して旋回するために第２磁性部品と枢着される。第２ミラーは補助フレーム上に設けられる。
【０００６】
本発明の一実施形態において、基盤部は、さらに、第１凹部内に少なくとも１つの設置部を有している。設置部は側壁部から突き出て第２凹部と対応しており、第１磁性部品が設置部上に設けられている。
【０００７】
本発明の一実施形態において、第１磁性部品の開口部と第２磁性部品の開口部は反対の方向に面している。
【０００８】
本発明の一実施形態において、第１磁性部品と第２磁性部品が２つの磁性部材である。
【０００９】
本発明の一実施形態において、第１磁性部品と第２磁性部品のうちの一方が磁性部材であり、第１磁性部品と第２磁性部品のうちの他方が常磁性部材または強磁性部材である。
【００１０】
本発明の一実施形態において、ミラーアセンブリは少なくとも１つのピンを備え、補助フレームがこのピンにより第２磁性部品に枢結される。
【００１１】
本発明の一実施形態において、補助フレームはプレートと、プレートに結合された拡張部と、拡張部に結合されたピボット部を備える。第２ミラーがプレート上に設けられ、拡張部がプレートとピボット部の間に配置され、ピボット部が第２磁性部品に枢結されている。
【００１２】
上記に基づき、本発明の開示に係るミラーアセンブリは、第１ミラーと少なくとも１つの第２ミラーを備えており、第１ミラーが主ミラーの、第２ミラーがサイドミラーの役割を果たし、サイドミラーが主ミラーに着脱可能に枢着することにより、利用者が組み立て、分解する際に便利である。
【００１３】
本発明の開示における前述および他の特徴や利点をわかりやすくするために、いくつかの例示的な実施形態について、図面を用いて、以下に詳細に記載する。
【図面の簡単な説明】
【００１４】
【図１】本発明の開示に係る一実施形態によるミラーアセンブリの分解概要図である。
【図２】本発明の開示に係る一実施形態によるミラーアセンブリの他のアングルから示す分解概要図である。
【図３Ａ】本発明の開示に係る一実施形態によるミラーアセンブリの展開状態を示す概要図である。
【図３Ｂ】本発明の開示に係る一実施形態による第１磁性部分と第２凹部に挿入された第２磁性部分の横断面概要図である。
【図４】本発明の開示に係る一実施形態によるミラーアセンブリの展開状態を他のアングルから示す概要図である。
【図５】本発明の開示に係る一実施形態によるミラーアセンブリの閉じた状態での概要図である。
【図６】本発明の開示に係る一実施形態によるミラーアセンブリの閉じた状態での他のアングルから示す概要図である。
【図７】本発明の開示に係る他の実施形態による第１磁性部分と第２凹部に挿入された第２磁性部分の横断面概要図である。
【発明を実施するための形態】
【００１５】
図１は本発明の開示に係る一実施形態によるミラーアセンブリの分解概要図である。図２は本発明の開示に係る一実施形態によるミラーアセンブリの他のアングルから示す分解概要図である。図３Ａは本発明の開示に係る一実施形態によるミラーアセンブリの展開状態を示す概要図である。図３Ｂは本発明の開示に係る一実施形態による第１磁性部分と第２凹部に挿入された第２磁性部分の横断面概要図である。図４は本発明の開示に係る一実施形態によるミラーアセンブリの展開状態での他のアングルから示す概要図である。記載内容の明確化、簡略化のため、第１ミラー１２０は図３Ａにおいて、透明で記載されている。図１−４を参照すると、本実施形態において、ミラーアセンブリ１００は基盤１１０、第１ミラー１２０、少なくとも１つの第１磁性部品１３０、少なくとも１つの第２磁性部品１４０、少なくとも１つの補助フレーム１５０、および少なくとも１つの第２ミラー１６０を含む。第１ミラー１２０は基盤１１０上に設けられ、補助フレーム１５０は基盤１１０に枢結され、第２ミラー１６０が補助フレーム１５０上に設けられている。
【００１６】
より詳細に記載すると、基盤１１０は第１凹部１１１と、側壁部１１２上に少なくとも１つの第２凹部１１３を備える。上記に加え、第１凹部１１１の開口部は第１ミラー１２０により覆われており、第１凹部１１１の開口部と第２凹部１１３の開口部は異なる方向に面しており、第１凹部１１１と第２凹部１１３は側壁部１１２により隔てられている。第１磁性部品１３０の数、第２磁性部品１４０の数、第２ミラー１６０の数、第２凹部１１３の数は互いに同じである。本実施例において、２つの補助フレーム１５０は１組として例示されており、２つの第２ミラー１６０はそれぞれ２つの補助フレーム１５０上に設けられている。したがって、第１磁性部品１３０の数と、第２磁性部品１４０の数と、第２凹部１１３の数はそれぞれ２である。ここで、対象を図示した角度から、いくつかの要素が図面に記載されていないことを留意しなければならない。一方で、補助フレーム上の第２ミラーの数は本発明の開示により制限されない。他の実施形態においては、補助フレーム上の第２ミラーの数は１であることも、２よりも多いこともあり、補助フレーム上の第２ミラーの数に応じて、第１磁性部品の数、第２磁性部品の数、第２凹部の数も適宜調整される。
【００１７】
第１磁性部品１３０は側壁部１１２上に設けられ、第２凹部１１３と対応しており、第１磁性部品１３０は第１凹部１１１内に設けられる。本実施形態において、基盤１１０は少なくとも１つの設置部１１４を第１凹部１１１内に備え、設置部１１４の数は第１磁性部品１３０の数と等しい。設置部１１４は側壁部１１２から突き出て第２凹部１１３と対応しており、第１磁性部品１３０が設置部１１４上に設けられている。さらに、設置部１１４は第１凹部１１１の底面と垂直に側面１１５を備えており、第１磁性部品１３０は側面１１５と接着されている。一方で、第２磁性部品１４０は第２凹部１１３に挿入され、第１磁性部品１３０と第２磁性部品１４０は２つの（マグネットのような）磁性部材となり、第１磁性部品１３０と第２磁性部品１４０の異なる磁気特性を持った反対の表面どうしが互いに引き寄せあい、第２磁性部品１４０は第２凹部１１３内に固定される。他の実施形態においては、第１磁性部品と第２磁性部品の一方が（マグネットのような）磁性部材であり、第１磁性部品と第２磁性部品の他方が常磁性部材や強磁性部材とすることができる。
【００１８】
言い換えると、第２凹部１１３に挿入された第２磁性部品１４０は基盤１１０に磁力により固定される。本実施形態において、補助フレーム１５０は基盤１１０に対して旋回するように、第２磁性部品１４０に枢着されている。第２磁性部品１４０により補助フレーム１５０が基盤１１０に結合されているため、補助フレーム１５０は、第２磁性部品１４０を第２凹部１１３から取り外すことにより、基盤１１０から分離される。このため、補助フレーム１５０と基盤１１０は互いに取り外しやすく、利用者にとって組み立てや分解する際に便利である。図３Ａと図４は、基盤１１０に対して旋回させた後の展開状態での補助フレーム１５０を示しており、同時に第１ミラー１２０は主ミラーとして、第２ミラー１６０はサイドミラーとして記載されており、利用者は主ミラーとサイドミラーにより描画された像を見ることができる。より詳細に説明すると、補助フレーム１５０はプレート１５１、プレート１５１に結合された拡張部１５２と、拡張部１５２に結合されたピボット部１５３を備える。上記に加え、第２ミラー１６０はプレート１５１上に設けられ、拡張部１５２はプレート１５１とピボット部１５３の間に配置され、ピボット部１５３は第２磁性部品１４０に枢結されている。構造上の妨げなく、補助フレーム１５０が基盤１１０に対して旋回できる角度の中で、展開状態と閉じた状態の間で旋回させることにより、拡張部１５２とプレート１５１は鋭角、鈍角など、適切な角度を形成することができる。
【００１９】
本実施形態において、ミラーアセンブリはさらに少なくとも１つのピン１７０を備え、ピン１７０の数は補助フレーム１５０の数または補助フレーム１５０の数の２倍であり、補助フレーム１５０のピボット部１５３は、ピン１７０により第２磁性部品１４０と枢結される。
【００２０】
図５は本発明の開示に係る一実施形態によるミラーアセンブリの閉じた状態を示す概要図である。図６は本発明の開示に係る一実施形態によるミラーアセンブリの閉じた状態を他のアングルから示す概要図である。図５−６を参照すると、補助フレーム１５０が基盤１１０に対して旋回されることにより、ミラーアセンブリ１００は展開状態から閉じた状態に変形する。閉じた状態において、プレート１５１とこれに設けられた第２ミラー１６０は第１ミラー１２０に対して並行またはわずかに傾斜した状態になり、第１ミラー１２０を覆う。
【００２１】
図７は本発明の開示に係る他の実施形態による第１磁性部分と第２凹部に挿入された第２磁性部分の横断面概要図である。図７を参照すると、設置部１１４は、側面１１５に対して垂直に側面１１６を備え、第１磁性部品１３０は側面１１６に接着されている。第１磁性部品１３０と、第２凹部に挿入された第２磁性部品１４０の間に磁力が発生する限り、第１磁性部品１３０の位置は本発明の開示により制限されないことを注意しなければならない。
【００２２】
上記に基づき、本発明の開示に係るミラーアセンブリは第１ミラーと少なくとも１つの第２ミラーを備え、第１ミラーは主ミラーとして、第２ミラーはサイドミラーとしての役割を果たす。主ミラーが設けられた基盤は第１磁性部品を備えるように設計され、サイドミラーが設けられた補助フレームと第２磁性部品は互いに枢結される。第２磁性部品は基盤内に挿入され、第１磁性部品と第２磁性部品はお互いを引き寄せあい、補助フレームと基盤を結合させる。第２磁性部品により補助フレームが基盤に結合され、補助フレームと第２磁性部品とは互いに枢結されるため、補助フレームと基盤を自由に旋回させることができる。一方で、補助フレームは第２磁性部品を基盤から取り外すことで基盤から分離することができる。つまり、利用者にとって、本発明の開示におけるミラーアセンブリを組み立て、分解する際に便利になる。
【００２３】
本発明の範囲や精神から逸脱することなく、本発明の開示における構造に対して様々な変更や変形を行えることは、当業者には明らかである。上記を考慮し、本発明の改変および変形は、以下の特許請求の範囲および均等の範囲内に含まれるものとする。
【図１】
2018086231.tif 000003
【図２】
2018086231.tif 000004
【図３Ａ】
2018086231.tif 000005
【図３Ｂ】
2018086231.tif 000006
【図４】
2018086231.tif 000007
【図５】
2018086231.tif 000008
【図６】
2018086231.tif 000009
【図７】
2018086231.tif 000010
【外国語明細書】
2018086231000001.pdf